(57)【要約】【課題】  フロントパネルの取り外しが容易であり、メンテナンス作業の効率化等を達成でき、また、機器の薄型化、デザインの自由度を大きく採ることのできるフロントパネルの取付構造を提供する。【解決手段】  上板11及び下板12を有し、少なくとも、上板11に上側係合部15、下板12に下側係合部17が形成された筺体10と、筺体10の上側係合部15と係合する上側被係合部41の形成された上側舌片40と下側係合部17と係合する下側被係合部45の形成された下側舌片44が後方に向けて突設され、筺体10の前面に取り付けられるフロントパネル30と、を具え、フロントパネル30を筺体10に取り付けたときに、上側舌片40が上板11よりも下側に位置した状態で上側係合部15と上側被係合部41が係合し、下側舌片44が下板12よりも下側に位置した状態で下側係合部17と下側被係合部45が係合するようにした。【選択図】  図２
2005183771.tif 000002
【特許請求の範囲】
【請求項１】
上板(11)及び下板(12)を有し、少なくとも、上板(11)に上側係合部(15)、下板(12)に下側係合部(17)が形成された筺体(10)と、
筺体(10)の上側係合部(15)と係合する上側被係合部(41)の形成された上側舌片(40)と下側係合部(17)と係合する下側被係合部(45)の形成された下側舌片(44)が後方に向けて突設され、筺体(10)の前面に取り付けられるフロントパネル(30)と、
を具える機器のフロントパネルの取付構造であって、
フロントパネル(30)を筺体(10)に取り付けたときに、上側舌片(40)が上板(11)よりも下側に位置した状態で上側係合部(15)と上側被係合部(41)が係合し、下側舌片(44)が下板(12)よりも下側に位置した状態で下側係合部(17)と下側被係合部(45)が係合するようにしたことを特徴とするフロントパネルの取付構造。
【請求項２】
上側係合部(15)は突起であり、上側被係合部(41)は孔又は凹みである請求項１に記載のフロントパネルの取付構造。
【請求項３】
上側係合部(15)は孔又は凹みであり、上側被係合部(41)は突起である請求項１に記載のフロントパネルの取付構造。
【請求項４】
下側係合部(17)は突起であり、下側被係合部(45)は孔又は凹みである請求項１乃至請求項３の何れかに記載のフロントパネルの取付構造。
【請求項５】
下側係合部(17)は孔又は凹みであり、下側被係合部(45)は突起である請求項１乃至請求項３の何れかに記載のフロントパネルの取付構造。
【発明の詳細な説明】
【技術分野】
【０００１】
本発明は、電気機器のフロントパネルの取付構造に関するものである。
【背景技術】
【０００２】
オーディオ、ビデオ機器、ＤＶＤ、カーオーディオ、パーソナルコンピュータ、監視カメラ等のハードディスク搭載機器等の電気機器では、筺体の前面にフロントパネルを取り付けたものがある。
フロントパネルは、組立の簡便性、部品点数の削減、及び、メンテナンス作業の効率化等の目的で、ネジ等を用いて筺体に取り付けるのではなく、フロントパネルを筺体に嵌め込むようにしたものが多く用いられている。
その一例として、図４に示すようなフロントパネル(30)の取付構造を例示できる。
筺体(10)は、上下及び左右に係合突起(16)(18)(左右の係合突起は図示しない)が外側に向けて突設されている。フロントパネル(30)には、後方に向けて舌片(40)(44)が形成され、該舌片(40)(44)には、筺体(10)の係合突起(16)(18)の対応した位置に、係合突起(16)(18)に嵌まる被係合孔(42)(46)が開設されている。フロントパネル(30)は、舌片(40)(44)の被係合孔(42)(46)が、係合突起(16)(18)に外側から嵌まるようにして筺体(10)に取り付けられている。
フロントパネル(30)を筺体(10)に取り付けるには、まず、上側舌片(40)の被係合孔(42)を、係合突起(16)に上側から位置合わせし、次いで、左右の係合舌片(図示せず)を被係合孔に位置合わせする。この状態で、さらに、下側舌片(44)の被係合孔(46)を係合突起(18)に下側から位置合わせして、フロントパネル(30)を筺体(10)側に押し込む。これにより、すべての舌片(40)(44)の被係合孔(42)(46)が、係合突起(16)(18)と夫々係合し、フロントパネル(30)が筺体(10)に取り付けられる。
【発明の開示】
【発明が解決しようとする課題】
【０００３】
フロントパネル(30)を筺体(10)から取り外すには、フロントパネル(30)を図５の矢印Ａ方向に引いた状態で、まず、下側舌片(44)を下向き(矢印Ｂ方向)に引っ張って被係合孔(46)を係合突起(18)から外し、次いで、左右の舌片を外側に引っ張って係合突起から外す。そして、フロントパネル(30)を矢印Ａ方向に引いたまま、さらに、上側舌片(40)を上向き(矢印Ｃ方向)に引っ張って被係合孔(42)を係合突起(16)から外す必要がある。つまり、被係合孔を係合突起から外すには、常にフロントパネル(30)を矢印Ａ方向に引いたまま、すべての舌片を係合突起から離れる方向に引っ張らなければならなかった。このため、メンテナンス作業等におけるフロントパネル(30)の取外し作業は、効率が悪いものとなっていた。
【０００４】
また、上述のように、筺体(10)の上側の係合突起(16)は、フロントパネル(30)の上側舌片(40)に向けて上向きに突設される。即ち、上側舌片(40)の下側に、係合突起(16)の形成された筺体(10)のシャーシが位置する。
フロントパネル(30)には、記録媒体の出し入れや、操作スイッチ等を臨出させることを目的とした開口が形成されるが、図４に示すように、上側舌片(40)の下側に筺体(10)の上板(11)があると、開口を形成することのできる位置の上限が、上板(11)よりも下側、即ち図４の線Ｄ−Ｄとなり、機器が嵩高くなったり、機器のデザインに制約を受ける問題があった。
【０００５】
本発明の目的は、フロントパネルの取り外しが容易であり、メンテナンス作業の効率化等を達成でき、また、機器の薄型化、デザインの自由度を大きく採ることができるフロントパネルの取付構造を提供することである。
【課題を解決するための手段】
【０００６】
上記課題を解決するために、本発明は、上板及び下板を有し、少なくとも、上板に上側係合部、下板に下側係合部が形成された筺体と、
筺体の上側係合部と係合する上側被係合部の形成された上側舌片と下側係合部と係合する下側被係合部の形成された下側舌片が後方に向けて突設され、筺体の前面に取り付けられるフロントパネルと、
を具える機器のフロントパネルの取付構造であって、
フロントパネルを筺体に取り付けたときに、上側舌片が上板よりも下側に位置した状態で上側係合部と上側被係合部が係合し、下側舌片が下板よりも下側に位置した状態で下側係合部と下側被係合部が係合するようにした。
【発明の効果】
【０００７】
本発明のフロントパネルの取付構造によれば、フロントパネルを筺体から取り外す際に、フロントパネルの下側を前方に向けて引きつつ、下側の舌片を下向きに引っ張って下側舌片を筺体の下側係合部から外すだけで、フロントパネルが傾いて、上側の舌片が下向きに傾動し、上側舌片の被係合部が係合突起から外れる。従って、従来のように、上側の舌片を引っ張らなくても、フロントパネルの取り外しができるから、フロントパネルの取外し作業の効率化を図ることができる。
【０００８】
また、筺体の上板を上側舌片よりも上側に配置できるので、上側舌片の直下に開口を形成することができる。これにより、開口を大きく採ることができ、また、機器の薄型化を達成でき、機器のデザインの自由度も大きくできる。
【発明を実施するための最良の形態】
【０００９】
図１は、本発明のフロントパネル(30)及び筺体(10)の分解斜視図であり、図２は、フロントパネル(30)を筺体(10)に取り付けた状態、図３は、フロントパネル(30)を筺体(10)から取り外す手順を示す図である。
筺体(10)は、金属板から作成することができ、フロントパネル(30)は、ポリスチレンやＡＢＳ樹脂等から一体成形することができる。
以下では、筺体側の係合部(15)(17)として突起(16)(18)、フロントパネル側の被係合部(41)(45)として孔(42)(46)を形成した実施例について説明する。
【００１０】
＜筺体の構成＞
筺体(10)は、図１に示すように、下板(12)となるベースシャーシ(21)、該ベースシャーシ(21)の前端に取り付けられるフロントシャーシ(22)、ベースシャーシ(21)の上部に被せられる断面コ字状のカバーシャーシ(24)、及び、ベースシャーシ(21)の後端側を覆うリアシャーシ(図示せず)から構成される。筺体(10)の内部には、電気機器の部品等が収容される。
ベースシャーシ(21)は、図２及び図３に示すように、前端の略中央が凹んでおり、凹み部分に下側係合部(17)が形成されている。下側係合部(17)は、ベースシャーシ(21)の一部を下向きに切り起こして形成した突起(18)である。
フロントシャーシ(22)は、ベースシャーシ(21)の前端にネジ等を用いて固定される。フロントシャーシ(22)は、前面のシャーシ面(23)に、記録媒体の出し入れや、操作スイッチ、配線等を臨出させる開口(26)(27)が複数形成されている。シャーシ面(23)の右上部分には、記録媒体を出し入れするための大きな開口(27)が形成されている。
シャーシ面(23)の左右は、後方に向けて屈曲し、左右の側板(13)(13)を形成しており、左右側板(13)(13)には、係合突起(19)(19)が、ベースシャーシ(21)の一部を外向きに切り起こして形成されている。
シャーシ面(23)の上端近傍に形成される開口(27)は、該開口(27)の上辺に連続する金属板の一部を切り欠かずに後方に向けて屈曲させて上板(11)を形成しており、上板(11)には、上側係合部(15)として突起(16)が下向きに切り起こされて形成されている。
【００１１】
＜フロントパネルの構成＞
フロントパネル(30)は、図１乃至図３に示すように、前側のパネル面(31)と、パネル面(31)の周面から後方に向けて突設されたフランジ(32)を具える。
パネル面(31)には、複数の開口(33)(34)が開設されている。パネル面(31)の右上部分に形成された開口(34)は、記録媒体を出し入れするための大きく形成されており、フロントシャーシ(22)の開口(27)と連通するように形成されている。
フランジ(32)の下面及び両側面には、下側舌片(44)及び左右舌片(48)(48)が夫々後方に向けて突設されている。また、パネル面(31)の大きな開口(34)の輪郭部分には後方に向けてリブ(35)が突設されており、該上側のリブ(35)には、後方に向けて上側舌片(40)が突設されている。
各舌片(40)(44)(48)(48)には、前記筺体(10)の係合突起(16)(18)(19)(19)に嵌まる被係合孔(42)(46)(49)(49)が開設されている。なお、被係合孔(42)(46)(49)は、図示の如き貫通孔でもよいし、有底の凹みであってもよい。
【００１２】
フロントパネル(30)は、ポリスチレンやＡＢＳ樹脂等のプラスチック材料を一体成型することにより作成することができる。この種材料を用いることにより、舌片(40)(44)(48)は、若干の弾性を具備し、撓むことのできる構成とすることができる。
【００１３】
＜フロントパネルの取付け＞
フロントパネル(30)を筺体(10)に取り付ける際には、まず、上側舌片(40)を筺体(10)の開口(27)から、上側係合突起(16)の下側に位置するように差し入れ、上側係合突起(16)と上側被係合孔(42)を位置合わせする。この状態で、フロントパネル(30)を押し込むことにより、左右の係合突起(19)(19)に左右舌片(48)(48)の被係合孔(49)(49)が嵌まる。この状態で、さらに、下側舌片(44)の被係合孔(46)を下側の係合突起(18)に位置合わせして、フロントパネル(30)を筺体(10)側に押し込む。これにより、各舌片(40)(44)(48)(48)の被係合孔(42)(46)(49)(49)が、係合突起(16)(18)(19)(19)と係合し、図２に示すように、フロントパネル(30)が筺体(10)に取り付けられる。
【００１４】
＜フロントパネルの取外し＞
フロントパネル(30)を筺体(10)から取り外すには、下側舌片(44)を下向きに引っ張って下側被係合孔(46)を係合突起(18)から外しつつ、フロントパネル(30)を図３の矢印Ａ方向に引く。次いで、左右舌片(48)(48)を外側(矢印Ｂ方向)に引っ張って係合突起(19)(19)から被係合孔(49)(49)を外す。フロントパネル(30)を更に矢印Ｂ方向に引くと、図３に示すように、上側舌片(40)の後端が下向き(矢印Ｃ方向)に傾き、被係合孔(42)が上側係合突起(16)から外れ、フロントパネル(30)を筺体(10)から取り外すことができる。
本発明のフロントパネル(30)の取付構造によれば、上記の如く、上側の舌片(40)を引っ張らなくても、フロントパネル(30)を外すことができる。
【００１５】
なお、本発明のフロントパネルの取付構造によれば、図２に示すように、上側舌片(40)よりも上側に、上板(11)を形成することができるから、上側舌片(40)の直下に開口(34)を設けることができ、開口(34)を従来(図４の線Ｄ−Ｄ)よりも上位置(図２の線Ｄ−Ｄ)まで設けることができる。従って、開口(34)を大きく採ることができる。その結果、上板(11)の厚さ分(約１〜１.５ｍｍ)だけ機器の薄型化を達成できる。また、開口(34)をフロントパネル(30)のシャーシ面(23)の上側に形成できることによって、機器のデザインの自由度も大きくできる。
【００１６】
上記説明では、フロントシャーシ(22)を屈曲させて、上板(11)及び左右側板(13)(13)を形成しているが、これらを別部材としてフロントシャーシ(22)に取り付けたり、ベースシャーシ(21)に取り付けることもできる。
【００１７】
また、上記説明では、筺体側に設けられる係合部(15)(17)を突起(16)(18)とし、フロントパネル側に設けられる被係合部(41)(45)を孔(42)(46)としているが、係合部(15)(17)に孔又は凹みを設け、被係合部(41)(45)に突起を設けてもよいことは勿論である。
【００１８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能である。
【産業上の利用可能性】
【００１９】
本発明のフロントパネルの取付構造は、フロントパネルの取り外しが容易であり、メンテナンス作業の効率化等を達成できる利点がある。また、上記のように、機器の薄型化、デザインの自由度を大きく採ることができる利点もある。
【図面の簡単な説明】
【００２０】
【図１】フロントパネル及び筺体の分解斜視図である。
【図２】フロントパネルを筺体に取り付けた状態を示す断面図である。
【図３】フロントパネルの取外し手順を示す断面図である。
【図４】従来のフロントパネルの取付構造を示す断面図である。
【図５】従来のフロントパネルの取外し手順を示す断面図である。
【符号の説明】
【００２１】
(10)  筺体
(15)  上側係合部
(16)  下側係合部
(30)  フロントパネル
(40)  上側舌片
(41)  上側被係合部
(44)  下側舌片
(45)  下側被係合部
【図１】
2005183771.tif 000003
【図２】
2005183771.tif 000004
【図３】
2005183771.tif 000005
【図４】
2005183771.tif 000006
【図５】
2005183771.tif 000007